(57)【特許請求の範囲】
【請求項１】
開口部を有するフロントベゼルと、
前記フロントベゼルの開口部から露出される映像表示面を有する映像表示パネルと、
前記映像表示パネルの後方に設けられるバックシャーシと、
前記映像表示パネルと前記バックシャーシとの間に設けられるバックライトモジュールと、
前記映像表示パネルと前記バックライトモジュールとの間に設けられ、複数の脚部を有するミドルフレームと、
前記バックシャーシの後方に設けられ、前記映像表示パネルの映像表示面とほぼ平行な縦板部、及び前記縦板部に連続し、前記映像表示パネルの厚み方向に沿って前記縦板部から前方向に延びる基部を有するシールド金具と、
前記バックシャーシの後面を覆い、前記シールド金具の前記縦板部に連結されるバックカバーと、を備え、
前記フロントベゼルは、前記映像表示パネルの映像表示面と略平行な前板及び前記前板から後方に延びる側板を有し、
前記バックシャーシに設けられたねじ孔に前記脚部とともに、前記側板と前記基部が、前記映像表示パネルの映像表示面に沿った方向に螺進する第２ねじ部材により連結されている映像表示装置。
【請求項２】
前記映像表示パネルは、前記シールド金具と前記バックシャーシとの間に設けられた駆動基板と接続配線を介して接続され、
前記接続配線は、前記第２ねじ部材による連結部分を避けた位置において、前記バックライトモジュールと前記側板の間を通過している請求項１に記載の映像表示装置。
【請求項３】
前記バックカバーと前記シールド金具とは、前記縦板部に後方から螺合する第１ねじ部材により連結され、
前記縦板部から前方に突出する前記第１ねじ部材のねじ部の先端位置が、前記接続配線より後方に位置している請求項２に記載の映像表示装置。
【請求項４】
前記映像表示パネルの下方に受光部を有し、
前記受光部は、前記第１ねじ部材により前記シールド金具と前記バックカバーに連結されている請求項３に記載の映像表示装置。
【請求項５】
前記映像表示パネルの下方に受光部を有し、
前記受光部は、前記第１ねじ部材により前記シールド金具と前記バックカバーに連結され、
更に、前記受光部は、前方に延びる覆い部材を有し、
前記受光部を前記第１ねじ部材により連結すると、前記第２ねじ部材の頭部が前記覆い部材により覆われる請求項３に記載の映像表示装置。
【請求項６】
開口部を有するフロントベゼルと、
前記フロントベゼルの開口部から露出される映像表示面を有する映像表示パネルと、
前記映像表示パネルの後方に設けられるバックシャーシと、
前記バックシャーシの後方に設けられ、前記映像表示パネルの映像表示面とほぼ平行な縦板部を有するシールド金具と、
前記バックシャーシの後面を覆い、前記シールド金具の前記縦板部に連結されるバックカバーと、
前記映像表示パネルと前記バックシャーシの間に設けられたバックライトモジュールと、
を備え、
前記バックカバーと前記シールド金具とは、前記縦板部に後方から螺合する第１ねじ部材により連結され、
前記シールド金具と前記バックライトモジュールとの間には、前記第１ねじ部材のねじ部が前記縦板部から前方に突出可能な空間が設けられ、
前記第１ねじ部材により前記シールド金具と前記バックカバーに連結されている受光部を、前記映像表示パネルの下方に有する映像表示装置。
【発明の詳細な説明】
【技術分野】
【０００１】
本発明の実施形態は、映像表示装置に関する。
【背景技術】
【０００２】
映像表示装置は、映像を表示する映像表示パネルを備えている。映像表示パネルは、フロントベゼルとバックカバーとを備えた筐体内に収容されている。
【先行技術文献】
【特許文献】
【０００３】
【特許文献１】特開２０１４−７７９２７号公報
【発明の概要】
【発明が解決しようとする課題】
【０００４】
従来は、フロントベゼルに、バックカバーを取り付けるための取付部が設けられていた。そのため、映像表示装置は、正面から見たとき、フロントベゼルの枠幅が太くなっていた。
【課題を解決するための手段】
【０００５】
一実施形態において、映像表示装置は、開口部を有するフロントベゼルと、フロントベゼルの開口部から露出される映像表示面を有する映像表示パネルと、映像表示パネルの後方に設けられるバックシャーシと、映像表示パネルと前記バックシャーシとの間に設けられるバックライトモジュールと、映像表示パネルとバックライトモジュールとの間に設けられ、複数の脚部を有するミドルフレームと、バックシャーシの後方に設けられ、映像表示パネルの映像表示面とほぼ平行な縦板部、及び縦板部に連続し、映像表示パネルの厚み方向に沿って縦板部から前方向に延びる基部を有するシールド金具と、バックシャーシの後面を覆い、シールド金具の縦板部に連結されるバックカバーと、を備えている。
そして、フロントベゼルは、映像表示パネルの映像表示面と略平行な前板及び前板から後方に延びる側板を有し、バックシャーシに設けられたねじ孔に脚部とともに、側板と基部が、映像表示パネルの映像表示面に沿った方向に螺進する第２ねじ部材により連結されている映像表示装置。
【図面の簡単な説明】
【０００６】
【図１】一実施形態の液晶テレビを示す斜視図。
【図２】図３に示す液晶テレビのＦ２−Ｆ２の破断線を通る部分断面図。
【図３】液晶テレビを後方から示す斜視図。
【図４】図３に示す液晶テレビのＦ４−Ｆ４の破断線を通る部分断面図。
【図５】液晶テレビのバックシャーシを後方から示す斜視図。
【発明を実施するための形態】
【０００７】
以下、実施形態について、図面を用いて説明する。図１に、液晶テレビ１０を示す。液晶テレビ１０は、映像表示装置の一例である。液晶テレビ１０は、卓上スタンド１２およびテレビ本体１４を備えている。卓上スタンド１２は、テレビ本体１４の下部に取り付けられている。例えば、テレビ台の天板Ｔの上に卓上スタンド１２を据え付け、テレビ本体１４を、天板Ｔの上に垂直に起立させる。
【０００８】
以下、液晶テレビ１０について、テレビ本体１４を鉛直（後述する映像表示面２２ａを鉛直にした状態）に屹立させた状態で、液晶テレビ１０の映像表示面２２ａ側を前方とし、その逆を後方とし、それを基準に液晶テレビ１０の左右を定める。又、重力の方向を液晶テレビ１０の下方、その逆を上方として説明する。
【０００９】
図２に示すように、テレビ本体１４は、フロントベゼル２０、映像表示パネルとしての液晶表示パネル２２、ミドルフレーム２３、バックライトモジュール２４、バックシャーシ２５、シールド金具２６、受光部２７、バックカバー２８を含んでいる。図２は、図３に示す液晶テレビ１０を、Ｆ２−Ｆ２の破断線を通る破断面で断面した図である。図２は、バックカバー２８に垂直で、後述する取付部６２を通る縦断面図である。
【００１０】
フロントベゼル２０とバックカバー２８は、例えばＡＢＳ樹脂のような合成樹脂材料で形成されている。フロントベゼル２０は、テレビ本体１４の前方側に取り付けられ、バックカバー２８は、テレビ本体１４の後方側に取り付けられている。図３に、バックカバー２８を示す。フロントベゼル２０とバックカバー２８とで筐体３０を形成している。筐体３０は、全体として、偏平な四角い箱形の形状を有している。
【００１１】
フロントベゼル２０は、図１に示すように、四角い枠状で、第１の縁部２０ａ、第２の縁部２０ｂ、第３の縁部２０ｃ、第４の縁部２０ｄを有している。第１の縁部２０ａは筐体３０の上縁、第２の縁部２０ｂは筐体３０の左縁、第３の縁部２０ｃは筐体３０の下縁、第４の縁部２０ｄは筐体３０の右縁に配置されている。各縁部は、それぞれ対向する縁部どうしが所定の間隔をもって、互いに平行に配置されている。
【００１２】
フロントベゼル２０は、図２に示すように筐体３０の前面を構成する前板３２と、筐体３０の周囲に配置される側板３３とを備えている。前板３２と側板３３とのなす角度は、ほぼ直角の角度に設定されている。前板３２は、液晶テレビ１０を視聴している視聴者に向かい合う位置に配置される。フロントベゼル２０の開口部２９が、前板３２で囲まれた内側に形成されている。
【００１３】
液晶表示パネル２２は、フロントベゼル２０の後方に設けられている。液晶表示パネル２２は、偏平な四角い板状部材で、液晶層を有している。液晶表示パネル２２には、図４に示すように駆動基板３４が、接続配線としてのフレキシブル配線板３６を介して接続されている。駆動基板３４は、液晶表示パネル２２の液晶層を駆動させる基板等であり、例えばソース基板である。駆動基板３４は、後述するように、バックシャーシ２５の後方に設けられている。
【００１４】
液晶表示パネル２２は、液晶表示パネル２２の前面側に、映像を表示する映像表示面２２ａを有している。映像表示面２２ａは、フロントベゼル２０の開口部２９から液晶テレビ１０の前方に露出している。液晶表示パネル２２の後方には、ミドルフレーム２３が設けられている。
【００１５】
ミドルフレーム２３は、例えばＡＢＳ樹脂のような合成樹脂材料で形成されている。ミドルフレーム２３は、四角い枠状で、第１の辺部２３ａ、第２の辺部２３ｂ、第３の辺部２３ｃ、第４の辺部２３ｄを有している。尚、図中には、ミドルフレーム２３の下端に位置する第３の辺部２３ｃのみが示されている。
【００１６】
第１の辺部２３ａは上縁、第２の辺部２３ｂは右縁、第３の辺部２３ｃは下縁、第４の辺部２３ｄは左縁にそれぞれ配置されている。各辺部は、互いに枠状に連結され、内側に開口部３８を形成している。ミドルフレーム２３の下方の第３の辺部２３ｃには、脚部４０が第３の辺部２３ｃの長手方向に沿って適宜の間隔で複数設けられている。ミドルフレーム２３の前面は、液晶表示パネル２２の後面に接し、ミドルフレーム２３の後面は、バックライトモジュール２４に接している。
【００１７】
バックライトモジュール２４は、拡散板４３と反射板４４と発光部とを備えている。拡散板４３は、液晶表示パネル２２の後方に、液晶表示パネル２２に対向して配置されている。拡散板４３は、光を拡散させる部材である。
【００１８】
反射板４４は、液晶表示パネル２２の側に反射面を有している。反射板４４は、複数の発光部を備えている。発光部は、発光ダイオードを備えている。発光部は、反射板４４に適宜の間隔で設けられた開口部から、液晶表示パネル２２の側に露出している。
【００１９】
発光部の発光ダイオードから放射された光は、反射板４４に設けられた開口部から、拡散板４３に入射される。又、反射板４４で反射された光も、拡散板４３に入射される。拡散板４３に入射した光は、液晶表示パネル２２に向かう。
【００２０】
こうしてバックライトモジュール２４から液晶表示パネル２２に向けて光が照射され、液晶表示パネル２２の映像表示面２２ａに表示された映像にバックライトがムラ無く照射される。バックライトモジュール２４の後方には、バックシャーシ２５が設けられている。
【００２１】
バックシャーシ２５は、例えばアルミニウム製の板状部材である。図５に示すように、バックシャーシ２５は、シャーシ本体部４７と、周縁部４８と、下端部４９（図２参照）とを備えている。
【００２２】
シャーシ本体部４７は、液晶表示パネル２２及びバックライトモジュール２４の後面全体をほぼ覆う形状を有している。周縁部４８は、シャーシ本体部４７の外周に形成されている。周縁部４８は、バックライトモジュール２４の後面とほぼ平行に形成されている。
【００２３】
下端部４９は、シャーシ本体部４７の上下左右それぞれに設けられている周縁部４８のうちの下方に位置する周縁部４８に設けられている。下端部４９は、周縁部４８に、周縁部４８の長手方向に沿って適宜の間隔で設けられている。下端部４９は、液晶テレビ１０の前後左右のいずれの方向にも水平に形成されている。
【００２４】
下端部４９には、第２ねじ部材５０に螺合するねじ孔５１が形成されている。下端部４９のねじ孔５１は、ミドルフレーム２３の脚部４０の上面に載置されている。バックシャーシ２５の後方には、シールド金具２６が設けられている。
【００２５】
シールド金具２６は、金属製の板状部材である。シールド金具２６は、シールド本体部５２と、縦板部５３と、基部５４とを備えている。図５に示すように、シールド金具２６は、バックシャーシ２５の下端部、すなわちフロントベゼル２０の第３の縁部２０ｃに沿って設けられている。
【００２６】
シールド本体部５２は、バックシャーシ２５との間に所定の間隔をもって、バックシャーシ２５のシャーシ本体部４７とほぼ平行に延びている。シールド本体部５２の上部は、バックシャーシ２５の外面にねじ等により固定されている。シールド本体部５２の下部に縦板部５３が設けられている。
【００２７】
縦板部５３は、バックシャーシ２５の周縁部４８の後方に、バックシャーシ２５の周縁部４８とほぼ平行に配置されている。縦板部５３と周縁部４８との間には、所定の空間が形成されている。縦板部５３には、ねじ部５７が形成してあり、バックカバー２８を貫通した第１ねじ部材５５が螺合する。第１ねじ部材５５は、ねじ部５７に螺合させても、第１ねじ部材５５のねじ部の先端位置がフレキシブル基板３６に達することのない長さを有している。縦板部５３は、バックライトモジュール２４を介して前板３２に対向している。縦板部５３の下部には、基部５４が縦板部５３に連続して設けられている。
【００２８】
基部５４は、縦板部５３に対してほぼ直角の角度を有し、かつ左右方向に水平に設けられている。すなわち、基部５４は、液晶テレビ１０の前後左右のいずれの方向にも、水平に設定されている。基部が、映像表示パネルの厚み方向に沿って縦板部から前方向に延びるとは、このことである。基部５４には、第２ねじ部材５０が貫通するボルト孔５６が設けられている。基部５４は、フロントベゼル２０の側板３３の下側に配置される。
【００２９】
シールド金具２６とバックシャーシ２５との間には、図４に示すように駆動基板３４が設けられている。駆動基板３４は、フレキシブル配線板３６を介して液晶表示パネル２２に接続している。通常、駆動基板３４は、フレキシブル配線板３６を介して液晶表示パネル２２に複数接続されている。
【００３０】
フレキシブル配線板３６は、フロントベゼル２０の側板３３とシールド金具２６の基部５４とが第２ねじ部材５０により連結されている連結部分、つまり、ミドルフレーム２３の脚部４０を避けた位置に配置されている。図４に示すように、フレキシブル配線板３６は、一端が液晶表示パネル２２の下部に接続され、そこからバックライトモジュール２４の下端とフロントベゼル２０の側板３３との間を通り、他端が駆動基板３４に接続されている。図４は、図３に示す液晶テレビ１０を、Ｆ４−Ｆ４の破断線を通る破断面で断面した図である。図４は、バックカバー２８に垂直で、取付部６２を避けた位置の縦断面図である。駆動基板３４とシールド金具２６とは、導電性ゴム材５８により導電可能に接触している。シールド金具２６の後方にバックカバー２８が設けられている。
【００３１】
図３、図４に示すように、バックカバー２８は、バックカバー本体部６０と、周壁６１を有している。バックカバー本体部６０は、四角い形状を有し、フロントベゼル２０と向かい合うように配置されている。
【００３２】
周壁６１は、バックカバー本体部６０の外周縁に沿って連続して設けられている。周壁６１は、バックカバー本体部６０の上端と下端と左右の端部に、それぞれバックカバー本体部６０からフロントベゼル２０に向けて設けられている。下端に位置する周壁６１には、図２、図３に示すように取付部６２が適宜の間隔で複数設けられている。
【００３３】
取付部６２は、周壁６１の一部をバックカバー２８の上側に半円状に凹ませたような形状で、前方には、第１ねじ部材５５が貫通するボルト孔６３が形成されている。バックカバー２８は、下端部において、取付部６２に通した第１ねじ部材５５によりシールド金具２６に取り付けられている。又、取付部６２には、受光部２７が取り付けられる。
【００３４】
受光部２７は、受光本体部７０と、取付部材７２とを備えている。受光本体部７０には、液晶テレビ１０のリモコンからの赤外線信号を受光する受光素子、駆動回路その他が収納されている。又、受光本体部７０には、各種表示装置が設けられていてもよい。
【００３５】
取付部材７２は、受光本体部７０に固着されている。取付部材７２は、挿入片７３と覆い部材７４とを有している。挿入片７３は、薄板状の部材で、第１ねじ部材５５が貫通するボルト孔７５を有し、シールド金具２６の縦板部５３とバックカバー２８の間に挿入される。
【００３６】
覆い部材７４は、挿入片７３から前方に延びている部材である。覆い部材７４は、受光部２７を、第１ねじ部材５５によりバックカバー２８に取り付けると、第２ねじ部材５０の頭部を下方から覆うように形成されている。
【００３７】
次に、液晶テレビ１０を組み立てる場合の一例について説明する。バックシャーシ２５にバックライトモジュール２４を組み付け、バックライトモジュール２４の前方からミドルフレーム２３を取り付ける。ミドルフレーム２３の脚部４０をバックシャーシ２５の下端部４９の下方に配置する。
【００３８】
ミドルフレーム２３の前方に液晶表示パネル２２を取り付け、液晶表示パネル２２の前面にフロントベゼル２０を組み付ける。フロントベゼル２０の側板３３は、ミドルフレーム２３の脚部４０の下に配置する。
【００３９】
シールド金具２６を後方からフロントベゼル２０に組み付ける。シールド金具２６の基部５４は、フロントベゼル２０の側板３３の下に配置し、下方から第２ねじ部材５０をボルト孔５６に挿し入れる。第２ねじ部材５０を、バックシャーシ２５の下端部４９のねじ孔５１に螺合させる。
【００４０】
これにより、液晶テレビ１０の下部において、バックシャーシ２５にバックライトモジュール２４、ミドルフレーム２３、液晶表示パネル２２、フロントベゼル２０、シールド金具２６が一体に締結される。液晶表示パネル２２は、フロントベゼル２０の前板３２とミドルフレーム２３との間で弾性的に挟持される。
【００４１】
更に、シールド金具２６の縦板部５３の裏面側に受光部２７の取付部材７２を取り付け、受光部２７の取付部材７２の後方にバックカバー２８を組み付ける。第１ねじ部材５５を後方から、バックカバー２８のボルト孔６３に挿し入れ、縦板部５３のねじ部５７に螺合させる。これにより、バックカバー２８の下部と受光部２７とが、シールド金具２６を介してバックシャーシ２５、及びフロントベゼル２０に締結される。
【００４２】
液晶テレビ１０によれば、フロントベゼル２０の前板３２には、第１ねじ部材５５を締結させるための取付部等が設けられておらず、前板３２の横幅を狭くし、液晶テレビ１０を正面から見たときのフロントベゼル２０の枠幅を細くできる。
【００４３】
第１ねじ部材５５は、図３に示すように適宜の間隔をあけて設けられた取付部６２に、バックカバー２８の後方から締結する。これにより、バックカバー２８を第１ねじ部材５５により容易に締結できる。
【００４４】
フロントベゼル２０とシールド金具２６とは、液晶テレビ１０の下方から挿し入れる第２ねじ部材５０により締結する。これにより、フロントベゼル２０を容易に固定できる。
【００４５】
第２ねじ部材５０により、フロントベゼル２０とシールド金具２６とミドルフレーム２３をバックシャーシ２５に一体に締結する。これにより、フロントベゼル２０とシールド金具２６とミドルフレーム２３とを強固に、かつ容易な作業で確実に締結できる。
【００４６】
受光部２７は、挿入片７３を液晶テレビ１０の下方から挿し入れ、液晶テレビ１０の後方から螺合させる第１ねじ部材５５で固定する。これにより、受光部２７は、シールド金具２６に確実に固定できる。又、受光部２７を液晶テレビ１０に容易に取り付けることができる。
【００４７】
受光部２７をバックカバー２８に取り付けると、覆い部材７４により第２ねじ部材５０の頭部が覆われる。これにより、液晶テレビ１０の美観を良好にできる。
【００４８】
第１ねじ部材５５のねじ部は、フレキシブル配線板３６に達する長さでないので、フレキシブル配線板３６の配線が第１ねじ部材５５の螺合により損傷されることがない。
【００４９】
フロントベゼル２０の側板３３を、後方に延ばすとともに、シールド金具２６の基部５４を前方に延ばすことができる。これにより、側板３３と基部５４とが重なる面積を広くでき、フロントベゼル２０とシールド金具２６とを安定して締結させることができる。
【００５０】
シールド金具２６に締結した第１ねじ部材５５が、フレキシブル配線板３６に到達することがない。そのため、第１ねじ部材５５の螺合位置とミドルフレーム２３の脚部４０との位置を合わせる必要がない。そのため、取付部６２をバックカバー２８の任意の位置に設定できる。
【００５１】
第１ねじ部材５５が金属製のシールド金具２６に螺合するので、バックカバー２８を強固に固定できる。
【００５２】
受光部２７は、フロントベゼル２０等と個別に設けられる。これにより、受光部２７の材質や色彩を、フロントベゼル２０と異ならせ、任意に設定することができる。更に、受光部２７をフロントベゼル２０の下部に設けない設定が可能となる。受光部２７を液晶テレビ１０に設けない場合には、例えば、バックカバー２８とシールド金具２６との間にスペーサ等を設ける。
【００５３】
尚、本発明は、前記実施形態に限定されるものではない。実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５４】
１０…液晶テレビ、１２…卓上スタンド、１４…テレビ本体、２０…フロントベゼル、２０ｃ…第３の縁部、２２ａ…映像表示面、２２…液晶表示パネル、２３…ミドルフレーム、２３ｃ…第３の辺部、２４…バックライトモジュール、２５…バックシャーシ、２６…シールド金具、２７…受光部、２８…バックカバー、２９…開口部、３０…筐体、３２…前板、３３…側板、３４…駆動基板、３６…フレキシブル配線板、３８…開口部、４０…脚部、４７…シャーシ本体部、４８…周縁部、４９…下端部、５０…第２ねじ部材、５１…ねじ孔、５２…シールド本体部、５３…縦板部、５４…基部、５５…第１ねじ部材、６１…周壁、６２…取付部、７０…受光本体部、７２…取付部材、７３…挿入片、７４…覆い部材、７５…ボルト孔。
【図１】
0006320266.tif 000002
【図２】
0006320266.tif 000003
【図３】
0006320266.tif 000004
【図４】
0006320266.tif 000005
【図５】
0006320266.tif 000006